(57)【要約】【課題】音声映像情報を適切な箇所で分割して音声映像情報を複数枚の光ディスクに分割して記録すること。【解決手段】映像データおよび音声データを含むトランスポートストリーム（ＴＳ）が格納されるＨＤＤ１１１と、記録型光ディスクにＴＳを書き込むための光ディスク装置１１２と、ＴＳを記録型光ディスク１１２に転送するためのＴＳ転送部３５０と、ＴＳの前記記録型光ディスクへの記録時に、前記記録型光ディスクの残り容量を検出する残り容量監視部３５１と、検出された残り容量が設定値より少ない場合に、前記音声映像情報の内容を解析することによって分割ポイントを検出し、検出された前記分割ポイントに応じて前記音声映像情報を複数枚の記録型光ディスクに分割して記録するために前記音声映像情報の記録を制御する解析型分割記録制御手段３１０，３２０とを具備することを特徴とする。【選択図】    図５
2008299972.tif 000002
【特許請求の範囲】
【請求項１】
映像データおよび音声データを含む音声映像情報が格納される記憶装置と、
記録型光ディスクに音声映像情報を記録するための光ディスク装置と、
前記音声映像情報の前記記録型光ディスクへの記録時に、前記記録型光ディスクの残り容量を検出する残り容量検出手段と、
検出された残り容量が設定値より少ない場合に、前記音声映像情報の内容を解析することによって分割ポイントを検出し、検出された前記分割ポイントに応じて前記音声映像情報を複数枚の記録型光ディスクに分割して記録するために前記音声映像情報の記録を制御する解析型分割記録制御手段と
を具備することを特徴とする音声映像情報記録装置。
【請求項２】
前記解析型分割記録制御手段は、前記音声映像情報の音声データの解析結果に基づいて検出されるシーンチェンジポイントを前記分割ポイントとする手段を具備することを特徴とする請求項１に記載の情報編集装置。
【請求項３】
前記解析型分割記録制御手段は、前記音声映像情報の映像データの解析結果に基づいて検出されるシーンチェンジポイントを前記分割ポイントとする手段を具備することを特徴とする請求項１に記載の情報編集装置。
【請求項４】
前記残り容量検出手段が検出した残り容量が別の設定値より小さい場合に、前記記録型光ディスクに記録可能な容量に応じて前記音声映像情報に分割ポイントを設定し、設定された前記分割ポイントに応じて前記音声映像情報を複数枚の前記記録型光ディスクに分割して記録するために前記音声映像情報の記録を制御する容量優先型分割記録制御手段と、
前記音声映像情報が一枚の前記記録型光ディスクに記録できない場合に、前記解析型分割記録制御手段および前記容量優先型分割記録制御手段の何れか一方を用いて前記音声映像情報を複数枚の前記記録型光ディスクにするかをユーザに選択させるための選択手段とを更に具備することを特徴とする請求項１記載の音声映像情報記録装置。
【請求項５】
前記解析型分割記録制御手段は、
前記音声映像情報の音声データの解析結果に基づいて検出されるシーンチェンジポイントを前記分割ポイントとする音声優先分割ポイント検出手段と、
前記音声映像情報の映像データの解析結果に基づいて検出されるシーンチェンジポイントを前記分割ポイントとする映像優先分割ポイント検出手段とを更に具備し、
前記選択手段は、前記解析型分割記録制御手段が選択された場合に、前記音声優先分割ポイント検出手段および前記映像優先分割ポイント検出手段の何れか一方を用いて前記音声映像情報を複数枚の前記記録型光ディスクにするかをユーザに選択させることを特徴とする請求項４記載の音声映像情報記録装置。
【請求項６】
映像データおよび音声データを含む第１音声映像情報が格納される記憶装置と、
前記第１音声映像情報を第２音声映像情報に変換する手段と、
記録型光ディスクに前記第２音声映像情報を記録するための光ディスク装置と、
前記変換中に、前記第１音声映像情報の内容を解析し、前記第２映像音声情報の中の分割ポイントを検出する分割検出手段と、
前記光ディスク装置への前記第２音声映像情報の記録中に、前記記録型光ディスクの残り容量を検出する手段と、
検出された書込可能容量に応じて、前記分割ポイントの部分で前記第２音声映像情報を分割して複数枚の前記記録メディアに記録するために前記第２音声映像情報の記録を制御する手段とを具備することを特徴とする音声映像情報記録装置。
【請求項７】
前記解析型分割記録制御手段は、前記音声映像情報の音声データの解析結果に基づいて検出されるシーンチェンジポイントを前記分割ポイントとする手段を具備することを特徴とする請求項６に記載の情報編集装置。
【請求項８】
前記解析型分割記録制御手段は、前記音声映像情報の映像データの解析結果に基づいて検出されるシーンチェンジポイントを前記分割ポイントとする手段を具備することを特徴とする請求項６に記載の情報編集装置。
【請求項９】
映像データおよび音声データを含む音声映像情報が格納される記憶装置と、記録型光ディスクに音声映像情報を書き込むための光ディスク装置とを具備する音声映像情報記録装置における記録制御方法であって、
前記音声映像情報の前記記録型光ディスクへの記録時に、前記記録型光ディスクの残り容量を検出し、
検出された残り容量が設定値より少ない場合に、前記音声映像情報の内容を解析することによって分割ポイントを検出し、検出された前記分割ポイントに応じて前記音声映像情報を複数枚の記録型光ディスクに分割して記録するために前記音声映像情報の記録を制御する
ことを特徴とする記録制御方法。
【請求項１０】
前記分割ポイントは、前記音声映像情報の音声データの解析結果に基づいて検出されるシーンチェンジポイントであることを特徴とする請求項９に記載の記録制御方法。
【請求項１１】
前記分割ポイントは、前記音声映像情報の映像データの解析結果に基づいて検出されるシーンチェンジポイントであることを特徴とする請求項９に記載の記録制御方法。
【請求項１２】
映像データおよび音声データを含む第１音声映像情報が格納される記憶装置と、前記音声記録情報を第２音声映像情報に変換する変換手段と、記録型光ディスクに前記第２音声映像情報を書き込むための光ディスク装置とを有する音声映像情報記録装置における記録制御方法であって、
前記変換手段による変換中に、前記第１音声映像情報の内容を解析し、前記第２映像音声情報の中の分割ポイントを検出し、
前記第２音声映像情報の前記記録型光ディスクへの記録中に、前記記録型光ディスクの残り容量を検出し、
検出された残り容量に応じて、前記分割ポイントの部分で前記第２音声映像情報を分割して複数枚の前記記録メディアに記録するために前記第２音声映像情報の記録を制御することを特徴とする記録制御方法。
【請求項１３】
前記分割ポイントは、前記音声映像情報の音声データの解析結果に基づいて検出されるシーンチェンジポイントであることを特徴とする請求項１２に記載の記録制御方法。
【請求項１４】
前記分割ポイントは、前記音声映像情報の映像データの解析結果に基づいて検出されるシーンチェンジポイントであることを特徴とする請求項１２に記載の記録制御方法。
【発明の詳細な説明】
【技術分野】
【０００１】
本発明は、デジタル符号化された音声映像情報を記録型光ディスクに記録する音声映像情報記録装置、および記録制御方法に関する。
【背景技術】
【０００２】
デジタル放送では、画像圧縮方式として高能率符号化方式であるＭＰＥＧ２（Moving Picture Experts Group Phase2）を用いている。また、画像圧縮したデジタル信号の伝送には、多重方式として放送等のリアルタイム伝送に用いられるトランスポートストリーム方式を用いている。デジタル放送受信機は受信したトランスポートストリーム（ＴＳ）から圧縮画像データを抽出した後、ビデオデコーダにて復号化処理を行う。この復号化処理によって得られた映像信号は、ディスプレイに動画として表示される。
【０００３】
トランスポートストリームをハードディスクに記録することができる。そして、ＨＤ  ＤＶＤドライブのような光ディスドライブを搭載し、ハードディスクドライブに記録されたトランスポートストリームをＨＤ  ＤＶＤ−Ｒディスク等に記録する装置も存在する。
【０００４】
トランスポートストリームのサイズが大きく一枚のＨＤ  ＤＶＤ−Ｒディスクに記録することが出来ない場合がある。この時、複数枚の光ディスクにトランスポートストリーム等の音声映像情報を複数枚の光ディスクに記録する技術が開示されている。
【特許文献１】特開２００５−１７４３９０号公報
【発明の開示】
【発明が解決しようとする課題】
【０００５】
上述した文献には、分割位置について言及されていない。分割された光ディスクを再生すると、シーンの途中で分割され見づらいことがある。
【０００６】
本発明の目的は、音声映像情報を適切な箇所で分割して音声映像情報を複数枚の光ディスクに分割して記録することが可能な音声映像情報記録装置、および記録制御方法を提供することにある。
【課題を解決するための手段】
【０００７】
本発明の一例に係わる音声映像情報記録装置は、映像データおよび音声データを含む音声映像情報が格納される記憶装置と、記録型光ディスクに音声映像情報を記録するための光ディスク装置と、前記音声映像情報の前記記録型光ディスクへの記録時に、前記記録型光ディスクの残り容量を検出する残り容量検出手段と、検出された残り容量が設定値より少ない場合に、前記音声映像情報の内容を解析することによって分割ポイントを検出し、検出された前記分割ポイントに応じて前記音声映像情報を複数枚の記録型光ディスクに分割して記録するために前記音声映像情報の記録を制御する解析型分割記録制御手段とを具備することを特徴とする。
【０００８】
本発明の一例に係わる音声映像情報記録装置は、映像データおよび音声データを含む第１音声映像情報が格納される記憶装置と、前記第１音声記録情報を第２音声映像情報に変換する手段と、記録型光ディスクに前記第２音声映像情報を書き込むための光ディスク装置と、前記変換中に、前記音声映像情報の内容を解析し、映像音声情報の中の分割ポイントを検出する分割検出手段と、前記記録手段による前記第２音声映像情報の記録中に、前記記録型光ディスクの残り容量を検出する手段と、検出された書込可能容量に応じて、前記分割ポイントの部分で前記第２音声映像情報を分割して複数枚の前記記録メディアに記録するために前記第２音声映像情報の記録を制御する手段とを具備することを特徴とする。
【発明の効果】
【０００９】
音声映像情報を適切な箇所で分割して音声映像情報を複数枚の光ディスクに分割して記録することが可能になる。
【発明を実施するための最良の形態】
【００１０】
本発明の実施の形態を以下に図面を参照して説明する。
【００１１】
以下、図面を参照して、本発明の実施形態を説明する。  
まず、図１および図２を参照して、本発明の第１の実施形態に係る音声映像情報記録装置の構成について説明する。この情報処理装置は、例えば、ノートブック型パーソナルコンピュータ１０として実現されている。
【００１２】
図１はノートブック型パーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれており、そのＬＣＤ１７の表示画面はディスプレイユニット１２のほぼ中央に位置されている。
【００１３】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０をパワーオン／パワーオフするためのパワーボタン１４、入力操作パネル１５、タッチパッド１６、およびスピーカ１８Ａ，１８Ｂなどが配置されている。
【００１４】
入力操作パネル１５は、押されたボタンに対応するイベントを入力する入力装置であり、複数の機能をそれぞれ起動するための複数のボタンを備えている。これらボタン群には、本コンピュータ１０のＴＶ機能を制御するための操作ボタンも含まれている。
【００１５】
また、コンピュータ本体１１の正面には、本コンピュータ１０のＴＶ機能を制御するリモコンユニットとの通信を実行するためのリモコンユニットインタフェース部２０が設けられている。リモコンユニットインタフェース部２０は、赤外線信号受信部などから構成されている。
【００１６】
本コンピュータ１０は、地上波デジタルＴＶ放送のようなデジタル放送番組データを受信、再生することができる。コンピュータ本体１１の右側面には、地上波デジタルＴＶ放送用のアンテナ端子１９が設けられている。
【００１７】
次に、図２を参照して、本コンピュータ１０のシステム構成について説明する。
【００１８】
本コンピュータ１０は、図２に示されているように、ＣＰＵ１０１、ノースブリッジ１０２、主メモリ１０３、サウスブリッジ１０４、グラフィクスプロセッシングユニット（ＧＰＵ）１０５、ビデオメモリ（ＶＲＡＭ）１０５Ａ、サウンドコントローラ１０６、ＢＩＯＳ−ＲＯＭ１０９、ＬＡＮコントローラ１１０、ハードディスクドライブ（ＨＤＤ）１１１、ＨＤ  ＤＶＤ／ＤＶＤドライブ１１２、カードコントローラ１１３、無線ＬＡＮコントローラ１１４、IEEE 1394コントローラ１１５、エンベデッドコントローラ／キーボードコントローラＩＣ（ＥＣ／ＫＢＣ）１１６、およびデジタルＴＶチューナ１１７等を備えている。
【００１９】
ＣＰＵ１０１は本コンピュータ１０の動作を制御するプロセッサであり、ハードディスクドライブ（ＨＤＤ）１１１から主メモリ１０３にロードされる、オペレーティングシステム、および各種アプリケーションプログラムを実行する。また、ＣＰＵ１０１は、ＢＩＯＳ−ＲＯＭ１０９に格納されたＢＩＯＳ（Basic Input Output System）も実行する。ＢＩＯＳはハードウェア制御のためのプログラムである。
【００２０】
ノースブリッジ１０２はＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、ＰＣＩ  ＥＸＰＲＥＳＳ規格のシリアルバスなどを介してＧＰＵ１０５との通信を実行する機能も有している。
【００２１】
ＧＰＵ１０５は本コンピュータ１０のディスプレイモニタとして使用されるＬＣＤ１７を制御する表示コントローラである。このＧＰＵ１０５によって生成される表示信号はＬＣＤ１７に送られる。また、表示信号は、コンピュータ本体１１に設けられたインタフェース３、４をそれぞれ介して外部のＴＶ１、外部のＨＤＭＩモニタに送出することもできる。
【００２２】
サウスブリッジ１０４は、ＬＰＣ（Low Pin Count）バス上の各デバイス、およびＰＣＩ（Peripheral Component Interconnect）バス上の各デバイスを制御する。また、サウスブリッジ１０４は、ＨＤＤ１１１、ＨＤ  ＤＶＤ／ＤＶＤドライブ１１２を制御するためのＩＤＥ（Integrated Drive Electronics）コントローラを内蔵している。さらに、サウスブリッジ１０４は、サウンドコントローラ１０６との通信を実行する機能も有している。
【００２３】
サウンドコントローラ１０６は音源デバイスであり、再生対象のオーディオデータをスピーカ１８Ａ，１８Ｂに出力する。
【００２４】
カードコントローラ１１３は、ＰＣカード、ＳＤ（Ｓｅｃｕｒｅ  Ｄｉｇｉｔａｌ）カードのようなカードを制御する。無線ＬＡＮコントローラ１１４は、たとえばIEEE 802.11規格の無線通信を実行する無線通信デバイスである。IEEE 1394コントローラ１１５は、IEEE 1394規格のシリアルバスを介して外部機器との通信を実行する。エンベデッドコントローラ／キーボードコントローラＩＣ（ＥＣ／ＫＢＣ）１１６は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１１６は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１１６は、リモコンユニットインタフェース部２０との通信を実行する機能を有している。
【００２５】
デジタルＴＶチューナ１１７は地上波デジタルＴＶ放送のようなデジタル放送番組を受信する受信装置であり、アンテナ端子１９に接続されている。このデジタルＴＶチューナ１１７は、チューナ回路２０１、およびＯＦＤＭ（Orthogonal Frequency Division Multiplexing）復調器２０２を備えている。チューナ回路２０１はアンテナ端子１９から入力されるＴＶ放送信号の中から特定チャネルの放送信号を受信する。ＯＦＤＭ（Orthogonal Frequency Division Multiplexing）復調器２０２はチューナ回路２０１によって受信された特定チャネルの放送信号を復調して、特定チャネルの放送信号からトランスポートストリーム（ＴＳ）を取り出す。トランスポートストリームは、圧縮符号化された放送番組データを多重化したデータストリームである。地上波デジタルＴＶ放送においては、各チャネルの放送番組データに対応するトランスポートストリーム（ＴＳ）は、圧縮符号化された動画像データと、圧縮符号化されたオーディオデータと、グラフィクスデータとを含む。グラフィクスデータも圧縮符号化されている。グラフィクスデータは、字幕データ、静止画、文字・図形データを含む。静止画および文字・図形データは、各チャネルの放送番組データにデータ放送として含まれている。データ放送は、天気予報、ニュース等を提供する。
【００２６】
地上波デジタルＴＶ放送においては、字幕はＣａｐｔｉｏｎデータと称され、静止画はＰｉｃｔｕｒｅと称され、文字・図形データはＦｉｇｕｒｅと称される。グラフィクスデータには、そのグラフィクスデータを提示するための手続きを記述したスクリプト情報が付加されている。このスクリプト情報はＢＭＬ（Broadcast Markup Language）と称されるスクリプト言語によって記述されている。スクリプト情報は、グラフィクスデータを構成する各部品要素をいつ、どこに表示するかを指定する。
【００２７】
トランスポートストリームについて説明する。トランスポートストリームは、図３に示すように、運びやすいように小分けにされた情報の小包であるＴＳパケット（１８８バイトの固定長）が連続した信号列である。ＴＳパケットには、小包の荷札のような役割を持つパケットヘッダーが付いていて、その荷札にはパケットの種類を表すパケット識別子（ＰＩＤ）が含まれている。映像や音声などの各ストリームは、それぞれ固有のＰＩＤ番号を持つＴＳパケットで伝送されるため、１つのＴＳの中に混在していても、そのＴＳパケットが映像か音声かなどの種類を識別することができ、映像や音声として再生することができる。
【００２８】
次に、図４を参照して、トランスポートストリームを記録するためのデータの流れについて説明する。
【００２９】
図４に示されるように、タイムスタンプ付加部、ＰＩＤフィルタ部５０６、パケット記録部２０３を有する。
【００３０】
受信したＴＳパケットはタイムスタンプ付加部５０５に送られる。タイムスタンプ付加部５０５は、デスクランブルされた１８８バイト長のＴＳパケットの先頭に４バイト長のタイムスタンプを付加して、１９２バイト長のパケットを生成する。タイムスタンプは、ＴＳパケット間の時間的な順番を示す。
【００３１】
ＰＩＤフィルタ部５０６は、ＴＳパケットのＰＩＤを監視することによって、視聴対象の番組の再生に必要なＴＳパケット群のみを抽出するフィルタ回路である。すなわち、ＰＩＤフィルタ部５０６は、デスクランブルされたトランスポートストリームに含まれるＴＳパケット群それぞれのＰＩＤに基づいて、トランスポートストリームに含まれるＴＳパケット群の中から視聴対象の放送番組データに対応するＴＳパケット群を抽出する。視聴対象の番組はＣＰＵ１０１によって指示される。ＰＩＤフィルタ部５０６によって抽出された各パケットは主メモリ１０３に送られる。パケット記録部は、主メモリ１０３内のＴＳパケット群をＨＤＤ１１１に記録する。
【００３２】
次に、ＨＤＤ１１１に格納されたトランスポートストリームをＨＤ  ＤＶＤ／ＤＶＤドライブ１１２に記録するための構成について順次説明する。
【００３３】
図５は、本発明の第１の実施形態に係わる映像情報記録装置におけるＨＤＤ１１１内に格納されたトランスポートストリームをＨＤ  ＤＶＤ／ＤＶＤドライブ１１２に記録するための構成を示すブロック図である。
【００３４】
図５に示すように、分割ポイント検出部３００、分割ポイント格納部３４０、トランスポートストリーム（ＴＳ）転送部３５０、および制御部３６０等を有する。
【００３５】
分割ポイント検出部３００は、音声優先分割ポイント検出部３１０、映像優先分割ポイント検出部３２０、容量優先分割ポイント検出部３３０等を有する。
【００３６】
音声優先分割ポイント検出部３１０は、音声ストリーム抽出部３１１、音声デコード部３１２、音声境界検出部３１３等を有する。
【００３７】
音声ストリーム抽出部３１１は、ＴＳ転送部３５０からＨＤ  ＤＶＤ／ＤＶＤドライブ１１２に転送されるトランスポートストリーム（図６（Ａ））から音声ストリーム図６（Ｂ）を抽出する。音声デコード部３１２は、抽出された音声ストリームをデコードする。音声境界検出部３１３は、デコードされた音声データを解析することによってシーンチェンジポイントを検出する（図６（Ｂ））。音声境界検出部３１３は、検出されたシーンチェンジポイント（分割ポイント）のパケットのタイムスタンプを分割ポイントに格納する。
【００３８】
音声境界検出部３１３は、音声ストリームの解析結果に基づき検出される音声出力の切り替わりポイント（シーンチェンジポイント）を境界ポイントとする。音声出力の切り替わりポイントとは、例えば、モノラル／ステレオへの切り替わりポイント、非多重放送／多重放送（二ヶ国語放送）への切り替わりポイントである。
【００３９】
或いは、音声境界検出部３１３は、音声データの解析結果からビットレートの大幅な変化ポイント（シーンチェンジポイント）を検出し、このビットレートの大幅な変化ポイントを境界ポイントとする。例えば、ＣＭ等の音声映像情報は比較的変化量が大きく、これに対して本編の音声映像情報は比較的変化量が小さい。このため、ビットレートの変化ポイントからＣＭと本編とを区別することができる。
【００４０】
或いは、音声境界検出部３１３は、音声データの解析結果に基づき検出される規則的に連続する複数の無音部のうちの最初の無音部（シーンチェンジポイント）及び最後の無音部（シーンチェンジポイント）を境界ポイントとする。例えば、１本のＣＭは、所定時間（例えば１５秒）の倍数に決められている。よって、複数のＣＭが連続するＣＭ区間も、所定時間の倍数ということになる。また、本編とＣＭの間、及びＣＭとＣＭの間には無音部が存在する。これらを総合すると、規則的に連続する複数の無音部のうちの最初の無音部が、本編からＣＭ区間への切り替わりポイントであり、最後の無音部がＣＭ区間から本編への切り替わりポイントとなる。
【００４１】
映像優先分割ポイント検出部３２０は、映像ストリーム抽出部３２１、映像デコード部３２２、映像境界検出部３２３等を有する。
【００４２】
映像ストリーム抽出部３２１は、ＴＳ転送部３５０からＨＤ  ＤＶＤ／ＤＶＤドライブ１１２に転送されるトランスポートストリームから映像ストリームを抽出する。映像デコード部３２２は、抽出された映像ストリームをデコードする。映像境界検出部３２３は、デコードされた映像データを解析することによってシーンチェンジポイントを検出する。映像境界検出部３２３は、検出されたシーンチェンジポイント（分割ポイント）のパケットのタイムスタンプを分割ポイントに格納する。
【００４３】
映像境界検出部３２３は、映像デコーダによりデコードされた音声映像信号を解析し、この音声映像信号の中の境界ポイントを検出する。例えば、映像境界検出部３２３は、映像データに含まれる複数のフレーム間の類似度の解析結果に基づきシーンチェンジポイントを検出し、このシーンチェンジポイントを境界ポイントとする。つまり、似たようなフレームが連続している場合にはシーンチェンジは無いと判断し、異なるフレームが繋がっているポイントをシーンチェンジと判断する。
【００４４】
或いは、映像境界検出部３２３は、映像データに含まれる複数のフレームの輝度信号の解析結果に基づき検出されるシーンチェンジポイントを分割ポイントとする。
【００４５】
容量優先分割ポイント検出部３３０は、一枚のＨＤ  ＤＶＤ−Ｒディスクに出来るだけ多くのトランスポートストリームが記録されるように分割ポイントを設定する。
【００４６】
ユーザは、制御部３６０が表示するウィンドウ（図７）によって、音声優先分割ポイント検出部３１０、映像優先分割ポイント検出部３２０、および容量優先分割ポイント検出部３３０の何れかによって分割ポイントを設定するかを設定する。ウィンドウには、シーンチェンジポイントで分割する機能を選択するためのチェックボックス１５１、容量を優先して分割する機能を選択するためのチェックボックス１５４を有する。チェックボックス１５１とチェックボックス１５４とは排他的に選択可能である。また、チェックボックス１５１を選択した場合に、音声を解析することによってシーンチェンジポイントを検出する機能を選択するためのチェックボックス１５２と、映像を解析することによってシーンチェンジポイントを検出する機能を選択するためのチェックボックス１５３とが有効になる。
【００４７】
トランスポートストリーム（ＴＳ）転送部は、ＨＤ  ＤＶＤ／ＤＶＤドライブ１１２に装填されるＨＤ  ＤＶＤ−Ｒディスクにトランスポートストリームを記録するために、ＨＤ  ＤＶＤ／ＤＶＤドライブ１１２にトランスポートストリームを転送する。トランスポートストリーム（ＴＳ）転送部は、タイムスタンプが分割ポイント格納部３４０に格納されている場合に、タイムスタンプ以降のパケットからトランスポートストリームが別のＨＤ  ＤＶＤ−Ｒディスクに記録されるように制御を行う（図６（Ｃ））。
【００４８】
次に、ＨＤＤ１１１に格納されているトランスポートストリームをＨＤ  ＤＶＤ／ＤＶＤドライブ１１２を用いてＨＤ  ＤＶＤ−Ｒディスクに格納する場合について図８のフローチャートを参照して説明する。
【００４９】
ＴＳ転送部３５０は、トランスポートストリームの記録を開始すると、転送されるトランスポートストリームの先頭パケットからバッファ用に確保した領域に応じた容量のデータをメモリにバッファしながら、トランスポートストリームのデータの転送処理を開始する。ＴＳ転送部３５０によるトランスポートストリームの転送に並行して以下の処理が行われる。
【００５０】
ＴＳ転送部３５０は、トランスポートストリーム全体の転送処理が終了したか否かを判別する(ステップＳ１１)。転送処理が終了したと判別した場合(ステップＳ１１のＹｅｓ）、ＴＳ転送部３５０は、転送処理を終了する（ステップＳ２０）。
【００５１】
転送処理が終了していないと判別した場合(ステップＳ１１のＮｏ）、容量監視部は、光ディスクの残り容量を監視し、残り容量が少ない（例えば０．５Ｇｂｙｔｅ）か否かを判別する（ステップＳ１２）。残り容量が少なくないと判別した場合（ステップＳ１２のＮｏ）、ステップＳ１１の処理に戻る。
【００５２】
残り容量が少ないと判別した場合（ステップＳ１２のＹｅｓ）、容量監視部は設定に応じた分割ポイント検出部３００に分割ポイントの検出を指示する。以下では、音声優先で分割ポイントを検出する例の場合を説明する。
【００５３】
音声優先分割ポイント検出部３１０は、メモリにバッファされているトランスポートストリームの末尾部に含まれる音声ストリームパケットの解析を行って（ステップＳ１３）、シーンチェンジポイント（分割ポイント）があるか否かを判別する（ステップＳ１４）。
【００５４】
音声優先分割ポイント検出部３１０が検出解析したパケット部分に分割ポイントを検出した場合（ステップＳ１４のＹｅｓ）、音声優先分割ポイント検出部３１０は、ＴＳ転送部３５０に分割ポイントを検出したことを割り込み通知する。音声優先分割ポイント検出部３１０は、分割ポイント（分割Ｐ）のパケットのタイムスタンプを分割ポイント格納部３４０に格納する（ステップＳ１５）。
【００５５】
ＴＳ転送部３５０は、分割ポイント格納部３４０から分割ポイントのパケットのタイムスタンプを取得する。ＴＳ転送部３５０は、ＨＤ  ＤＶＤ／ＤＶＤドライブ１１２にトランスポートストリームを転送しながら、ＨＤ  ＤＶＤ／ＤＶＤドライブ１１２に転送されるパケットのタイムスタンプを監視する（ステップＳ１６）。ＨＤ  ＤＶＤ／ＤＶＤドライブ１１２に転送しようとするパケットのタイムスタンプが分割ポイントのタイムスタンプになったら、転送処理を一時停止する（ステップＳ１７）
そして、ＴＳ転送部３５０は、ユーザに対して未記録のＨＤ  ＤＶＤ−ＲディスクをＨＤ  ＤＶＤ／ＤＶＤドライブ１１２に装填するように指示し、ＨＤ  ＤＶＤ／ＤＶＤドライブ１１２に未記録のＨＤ  ＤＶＤ−Ｒディスクが装填されたか否かを判別する（ステップＳ１８）。装填されたと判断した場合（ステップＳ１８のＹｅｓ）、ＴＳ転送部３５０は、トランスポートストリームの転送処理を再開する（ステップＳ１９）。
【００５６】
ステップＳ１４において、ＴＳ転送部３５０に分割ポイントを検出したことを割り込み通知していない場合（ステップＳ１４のＮｏ）、容量監視部は、解析済みであるバッファ内のトランスポートストリームをＨＤ  ＤＶＤ−Ｒディスクに記録することができるか否かを判別する（ステップＳ２１）。記録できると判断した場合（ステップＳ２１のＹｅｓ）、ＴＳ転送部３５０はデータの転送を続行する。
【００５７】
記録できないと判断した場合（ステップＳ２１のＮｏ）、容量監視部は、音声優先分割ポイント検出部３１０に分割ポイントの検出の中止を指示し、容量優先分割ポイント検出部３３０に分割ポイントを設定するように指示する。
【００５８】
容量優先分割ポイント検出部３３０は、一枚のＨＤ  ＤＶＤ−Ｒディスクに出来るだけ多くのトランスポートストリームが記録されるように分割ポイントを検出する。検出後、容量優先分割ポイント検出部３３０は、ＴＳ転送部３５０に分割ポイントを検出したことを割り込み通知する。容量優先分割ポイント検出部３３０は、分割ポイントのパケットのタイムスタンプを分割ポイント格納部３４０に格納する（ステップＳ２２）。
【００５９】
ＴＳ転送部３５０は、分割ポイント格納部３４０から分割ポイントのパケットのタイムスタンプを取得する。ＴＳ転送部３５０は、ＨＤ  ＤＶＤ／ＤＶＤドライブ１１２にトランスポートストリームを転送しながら、ＨＤ  ＤＶＤ／ＤＶＤドライブ１１２に転送されるパケットのタイムスタンプを監視する（ステップＳ１６）。ＨＤ  ＤＶＤ／ＤＶＤドライブ１１２に転送しようとするパケットのタイムスタンプが分割ポイントのタイムスタンプになったら、転送処理を一時停止する（ステップＳ１７）
そして、ＴＳ転送部３５０は、ユーザに対して未記録のＨＤ  ＤＶＤ−ＲディスクをＨＤ  ＤＶＤ／ＤＶＤドライブ１１２に装填するように指示し、ＨＤ  ＤＶＤ／ＤＶＤドライブ１１２に未記録のＨＤ  ＤＶＤ−Ｒディスクが装填されたか否かを判別する（ステップＳ１８）。装填されたと判断した場合（ステップＳ１８のＹｅｓ）、ＴＳ転送部３５０は、トランスポートストリームの転送処理を再開する（ステップＳ１９）。
【００６０】
以上の処理で、トランスポートストリームを１枚のＨＤ  ＤＶＤ−Ｒディスクに格納することが出来ない場合に、トランスポートストリームのコンテンツのシーンチェンジポイントを境に複数のＨＤ  ＤＶＤ−Ｒディスクに分割することが出来る。その結果、分割後のＨＤ  ＤＶＤ−Ｒディスクに格納されたコンテンツの再生開始時に、映像/音声がスムーズに開始されるようになる。
【００６１】
（第２の実施形態）
次に、トランスポートストリームをトランスコードして、ＤＶＤ−Ｒに書き込む場合について説明する。この例は、画質を重視し、出来るだけ高いレートでＤＶＤ−Ｒ等のＤＶＤ系ディスクに記録したい場合に適した方法である。
【００６２】
トランスポートストリームのコンテンツに対してトランスコードを行って音声映像情報を生成した後に、音声映像情報をＤＶＤ−Ｒディスクに格納するための構成を図９を参照して説明する。
【００６３】
図９に示すように、映像情報記録装置は、パケット振分部４０１、トランスコード部４１０、音声境界検出部４２１、映像境界検出部４２２、重畳部４３０、分割可能ポイント格納部４５０、データ転送部４６０、ＨＤ  ＤＶＤ／ＤＶＤドライブ１１２等を有する。
【００６４】
パケット振分部４０１は、トランスポートストリームから音声ストリームと映像ストリームを抽出して、それぞれのパケットをトランスコード部４１０に送る。
【００６５】
トランスコード部４１０は、音声デコード部４１１、音声エンコード部４１２、映像デコード部４１３、映像エンコード部４１４等を有する。
【００６６】
音声デコード部４１１は、圧縮されている音声ストリームをデコードする。音声エンコード部４１２は、デコードされた音声データを再エンコードする。
【００６７】
映像デコード部４１３は、圧縮されている映像ストリームをデコードする。映像エンコード部４１４は、デコードされた映像データを再エンコードする。
【００６８】
重畳部４３０は、再エンコードされた音声データおよび映像データを重畳して、プログラムストリーム形式の音声映像情報４４０を生成する。映像や音声などの個別のストリームを分割したＰＥＳ（Packetized Elementarty Stream）パケットを複数有するパックが複数個集まって構成される。各パックにはパックヘッダが付加されている。パックヘッダには、パックの開始コードに続いてＳＣＲ（System Clock Reference）と呼ばれる基準時間情報と多重化のビットレート（mux_rate）が記述されている。
【００６９】
音声境界検出部４２１は、デコードされた音声データを解析してシーンチェンジポイントを検出する。検出方法は、第１の実施形態と同様である。音声境界検出部４２１は、シーンチェンジポイントを検出したら、重畳部４３０にシーンチェンジポイント（分割可能ポイント）のタイムスタンプを通知する。シーンチェンジポイントの検出方法は、第１の実施形態と同様である。
【００７０】
映像境界検出部４２２は、デコードされた映像データを解析してシーンチェンジポイントを検出する。映像境界検出部４２２は、シーンチェンジポイントを検出したら、重畳部４３０にシーンチェンジポイント（分割可能ポイント）のタイムスタンプを通知する。シーンチェンジポイントの検出方法は、第１の実施形態と同様である。
【００７１】
シーンチェンジポイントの検出は、音声境界検出部４２１および映像境界検出部４２２の何れか一方を用いて行われる。ユーザは、音声境界検出部４２１および映像境界検出部４２２のどちらを用いるかの設定を行う。また、シーンチェンジポイントを検出する手段として音声境界検出部４２１および映像境界検出部４２２の何れか一方のみを有する構成であっても良い。
【００７２】
重畳部４３０は、トランスポートストリームのタイムスタンプからＳＣＲを生成する。そして、重畳部４３０は、音声境界検出部４２１または映像境界検出部４２２から分割可能ポイントのタイムスタンプが送られたら、タイムスタンプから生成されたＳＣＲの情報を分割可能ポイント格納部４５０に格納する。
【００７３】
次に、トランスコード処理および記録処理の手順について図１０のフローチャートを参照して説明する。以下では、音声境界検出部４２１を用いてシーンチェンジポイント（分割可能ポイント）を検出する方法を用いた場合について説明する。
【００７４】
先ず、トランスポートストリームのトランスコードを開始したら、音声境界検出部４２１は、音声データの解析を行い、無音部等のシーンチェンジポイントを検出する（ステップＳ３２）。シーンチェンジポイントを検出した場合（ステップＳ３３のＹｅｓ）、音声境界検出部４２１は、重畳部４３０にシーンチェンジポイント（分割可能ポイント）のタイムスタンプを通知する。重畳部４３０は、タイムスタンプに対応するＳＣＲを分割可能ポイント格納部４５０に登録する。ステップＳ３２からステップＳ３４までの処理をトランスコードが終了するまで行う。
【００７５】
トランスコードが終了したら（ステップＳ３１のＹｅｓ）、トランスコードされた音声映像情報４４０をＤＶＤ−Ｒに記録するために、データ転送部４６０は、音声映像情報４４０のＨＤ  ＤＶＤ／ＤＶＤドライブ１１２への転送処理を開始する（ステップＳ４１）。転送制御部４６２は、音声映像情報４４０全体の転送処理が終了したか否かを判別する(ステップＳ１１)。転送処理が終了したと判別した場合(ステップＳ４１のＹｅｓ）、転送制御部４６２は、転送処理を終了する（ステップＳ４９）
転送監視部４６１は、転送中のデータのパックからＳＣＲを抽出し、抽出したＳＣＲとこれから転送される分割可能ポイントのＳＣＲとを比較することによって、分割可能ポイントに近づいたか否かを判別する（ステップＳ４３）。
【００７６】
分割可能ポイントが近づいたと判断した場合（ステップＳ４３のＹｅｓ）、転送監視部４６１は転送制御部４６２に分割可能ポイントに近づいたことを通知する。転送制御部４６２は、近づいた分割可能ポイントまで記録した場合のＤＶＤ−Ｒディスクの残り容量と、近づいた分割可能ポイントからその次の分割可能ポイントまでのサイズとを比較し、次の分割可能ポイントまで音声映像情報を記録することが出来るか否かを判別する（ステップＳ４４）。
【００７７】
記録することが出来ると判断した場合（ステップＳ４４のＹｅｓ）、転送制御部４６２は、近づいている分割ポイント以降のデータをＤＶＤ−Ｒディスクに記録するために、そのまま転送処理を行わせる。
【００７８】
記録することが出来ないと判断した場合（ステップＳ４４のＮｏ）、転送制御部４６２は、転送監視部４６１に、転送しようとするデータが分割可能ポイントのデータであるか否かを判別させる（ステップＳ４５）。
【００７９】
部活可能ポイントの場合（ステップＳ４５のＹｅｓ）、転送監視部４６１は転送制御部４６２に通知し、転送制御部４６２は転送処理を一時停止する（ステップＳ４６）。
【００８０】
そして、転送制御部４６２は、ユーザに対して未記録のＤＶＤ−ＲディスクをＨＤ  ＤＶＤ／ＤＶＤドライブ１１２に装填するように指示し、ＨＤ  ＤＶＤ／ＤＶＤドライブ１１２に未記録のＤＶＤ−Ｒディスクが装填されたか否かを判別する（ステップＳ４７）。装填されたと判断した場合（ステップＳ４７のＹｅｓ）、転送制御部４６２は、トランスポートストリームの転送処理を再開する。
【００８１】
以上の処理で、トランスコード後の音声映像情報４４０を１枚のＤＶＤ−Ｒディスクに格納することが出来ない場合に、トランスコード時に解析されたコンテンツのシーンチェンジポイントを境に複数のＤＶＤ−Ｒディスクに分割することが出来る。その結果、分割後のＤＶＤ−Ｒディスクに格納されたコンテンツの再生開始時に、映像/音声がスムーズに開始されるようになる。
【００８２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８３】
【図１】第１の実施形態に係る音声映像情報記録装置の概観を示す斜視図。
【図２】図１の音声映像情報記録装置のシステム構成の例を示すブロック図。
【図３】第１の実施形態に係わるトランスポートストリームの構成を示す図。
【図４】トランスポートストリームを記録するためのデータの流れについて説明するための図。
【図５】第１の実施形態に係わる映像情報記録装置におけるＨＤＤ内に格納されたトランスポートストリームをＨＤ  ＤＶＤ／ＤＶＤドライブに記録するための構成を示すブロック図。
【図６】トランスポートストリームの処理の流れを示す図。
【図７】制御部が表示するウィンドウを示す図。
【図８】ＨＤＤに格納されているトランスポートストリームをＨＤ  ＤＶＤ／ＤＶＤドライブを用いてＨＤ  ＤＶＤ−Ｒディスクに格納する場合の処理の手順を示すフローチャート。
【図９】トランスポートストリームのコンテンツに対してトランスコードを行って音声映像情報を生成した後に、音声映像情報をＤＶＤ−Ｒディスクに格納するための構成を示すブロック図。
【図１０】トランスコード処理および記録処理の手順を示すフローチャート。
【符号の説明】
【００８４】
１１１…ハードディスクドライブ，１１２…ＨＤ  ＤＶＤ／ＤＶＤドライブ，１１７…ＴＶチューナ，２０１…チューナ回路，２０２…ＯＦＤＭ復調器，２０３…パケット記録部，３００…分割ポイント検出部，３１０…音声優先分割ポイント検出部，３１１…音声ストリーム抽出部，３１２…音声デコード部，３１３…音声境界検出部，３２０…映像優先分割ポイント検出部，３２１…映像ストリーム抽出部，３２２…映像デコード部，３２３…映像境界検出部，３３０…容量優先分割ポイント検出部等，３４０…分割ポイント格納部，３５０…トランスポートストリーム転送部，４０１…パケット振分部，４１０…トランスコード部，４１１…音声デコード部，４１２…音声エンコード部，４１３…映像デコード部，４１４…映像エンコード部，４２１…音声境界検出部，４２２…映像境界検出部，４３０…重畳部，４４０…音声映像情報，４５０…分割可能ポイント格納部，４６０…データ転送部，４６１…転送監視部，４６２…転送制御部，５０５…タイムスタンプ付加部，５０６…ＰＩＤフィルタ部。
【図１】
2008299972.tif 000003
【図２】
2008299972.tif 000004
【図３】
2008299972.tif 000005
【図４】
2008299972.tif 000006
【図５】
2008299972.tif 000007
【図６】
2008299972.tif 000008
【図７】
2008299972.tif 000009
【図８】
2008299972.tif 000010
【図９】
2008299972.tif 000011
【図１０】
2008299972.tif 000012